(57)【要約】【課題】  バッテリの取替を不要とし、より長期間非常照明機能を果たし得るフラッシュ機能付きリモコンを提供すること。【解決手段】  赤外線信号送出部１２が設けられるケース体１１の先端面の一方側に照明ランプ１５が取り付けられ、多数の作動ボタン１３が設けられるケース体１１の前面または一方面に照明ランプの作動スイッチボタン１６が設けられ、ケース体１１の内部に回路基板１４が組み込まれるフラッシュ機能付きリモコン１０において、前記ケース体１１の内部に手動発電機１７と蓄電池１８を組み込むと共に、前記ケース体１１の外部に手動発電機１７に回転力を与えて発電できるようにする回転ノブ１９を取り付け、前記蓄電池１８を照明ランプ１５と回路基板１４に接続したフラッシュ機能付きリモコンとした。【選択図】        図１
2006164933.tif 000002
【特許請求の範囲】
【請求項１】
赤外線信号送出部が設けられるケース体の先端面の一方側に照明ランプが取り付けられ、多数の作動ボタンが設けられるケース体の前面または一方面に照明ランプの作動スイッチボタンが設けられ、ケース体の内部に回路基板が組み込まれたフラッシュ機能付きリモコンであって、前記ケース体の内部に手動発電機と蓄電池を組み込むと共に、前記ケース体の外部に前記手動発電機に回転力を与えて発電できるようにする回転ノブを取り付け、前記蓄電池を前記照明ランプと前記回路基板に接続したことを特徴とするフラッシュ機能付きリモコン。
【発明の詳細な説明】
【技術分野】
【０００１】
本発明は、遠くから電子機器が制御できるリモコンに係り、より詳しくは、暗い所を照らすことができるフラッシュ機能付きリモコンに関するものである。
【背景技術】
【０００２】
一般に、リモコンは、テレビジョンやビデオテープレコーダー、オーディオ、エアコン等を含む各種の電子機器を、リモートコントロールするためのものである。
【０００３】
この種のリモコンは、通常、回路基板が組み込まれており、前面に多数の作動ボタンが設けられるケース体の先端部に赤外線信号送出部が設けられる形態を有する。
【０００４】
前記リモコンは、比較的に小型で持ち運びやすく、且つ電子機器から遠く離れた所から簡便に当該電子機器をオン／オフさせたり、チャンネル及び音量、出力等を調節したりすることができるものであり、その使用頻度が非常に多いため、日頃居間の卓上の上、またはベットの枕もと等の見つけやすい所に置いておく場合が多い。
【０００５】
一方、家庭での生活の中、家中の灯りを消した状態で周辺の小物を探さなければならない時がしばしば生じるが、この時、室内の照明灯をつけて小物等を探してから再び室内の照明灯を消すという煩わしさを強いられ、隅部や隙間等の暗い所に入ってしまった小物を探す必要があるか、または突然に停電となり、非常用ランタンやロウソクを探す必要がある時、非常用ランタンやロウソク等を保管してある場所まで移動して非常照明を確保するということが非常に不便であった。
【０００６】
そこで、日頃見つけやすい所に置いてあるリモコンにフラッシュ機能を加えることにより、簡便に周辺の小物が探せるように、また停電時に必要な措置が取られ得るようにするフラッシュ機能付きリモコンが多数提案されている（例えば、特許文献１〜３）。
【０００７】
【特許文献１】大韓民国実用新案登録公告第１９９２−４１２２号
【特許文献２】大韓民国実用新案登録第２１０２６８号
【特許文献３】大韓民国実用新案登録第３３９７５７号
【発明の開示】
【発明が解決しようとする課題】
【０００８】
しかしながら、上記した従来から提案されているフラッシュ機能付きリモコンは、赤外線信号送出部が設けられるケース体の先端部の一方側に照明ランプを取り付け、ケース体の前面またはケース体の一方面に照明ランプの作動スイッチボタンを設けたものであって、非常照明機能を果たすには何ら問題がないものの、照明ランプが、ケース体に組み込まれた回路基板に給電する取替型バッテリから給電されるため、フラッシュ機能を使用すればバッテリの消耗が早まり、随時にバッテリを取り替えなければフラッシュ機能はもとより、リモコン本来の機能である赤外線信号の送出機能さえも行うことができなくなるという不具合があった。
【０００９】
本発明は、前記のような従来の実情に鑑みてなされたものであって、その目的は、バッテリの取替を不要とし、より長期間非常照明機能を果たし得るフラッシュ機能付きリモコンを提供することにある。
【課題を解決するための手段】
【００１０】
本発明は、上記目的を達成するために、赤外線信号送出部が設けられるケース体の先端面の一方側に照明ランプが取り付けられ、多数の作動ボタンが設けられるケース体の前面またはケース体の一方面に照明ランプの作動スイッチボタンが設けられ、ケース体の内部に回路基板が組み込まれるフラッシュ機能付きリモコンにおいて、前記ケース体の内部に手動発電機と蓄電池を組み込むと共に、前記ケース体の外部に手動発電機に回転力を与えて発電できるようにする回転ノブを取り付け、前記蓄電池を照明ランプと回路基板に接続したフラッシュ機能付きリモコンとした。
【発明の効果】
【００１１】
上記した本発明に係るフラッシュ機能付きリモコンによれば、従来のフラッシュ機能付きリモコンのようにバッテリを随時に取り替える必要がなく、半永久的に使用することができるため、使用に伴うコストを大きく節減することができ、消費者の満足度及び商品性を大きく向上することができるようになるといった効果を奏する。
【発明を実施するための最良の形態】
【００１２】
以下、添付した図面を参照して、本発明に係るフラッシュ機能付きリモコンの具体的な技術内容について詳細に説明すれば、次の通りである。
なお、図１は、本発明に係るフラッシュ機能付きリモコンの一実施の形態を示した斜視図、図２は、同実施の形態の背面斜視図である。また、図３は、同実施の形態のケース体の内部背面図である。
【００１３】
本発明は、赤外線信号送出部１２が設けられるケース体１１の先端面の一方側に照明ランプ１５が取り付けられ、多数の作動ボタン１３が設けられるケース体１１の前面またはケース体１１の一方面に照明ランプの作動スイッチボタン１６が設けられ、ケース体１１の内部に回路基板１４が組み込まれるフラッシュ機能付きリモコン１０を構成するにおいて、前記ケース体１１の内部に手動発電機１７と蓄電池１８を組み込むと共に、前記ケース体１１の外部に手動発電機１７に回転力を与えて発電できるようにする回転ノブ１９を取り付け、前記蓄電池１８を照明ランプ１５と回路基板１４に接続してなることを特徴とする。
【００１４】
図示した実施の形態では、ケース体１１の内部下側に手動発電機１７が組み込まれ、ケース体１１の背面下側に回転ノブ１９が取り付けられ、ケース体１１の前面上側の一方側に照明ランプの作動スイッチボタン１６が設けられた形態になっているところ、本発明において、各構成部品の配設位置を、予測可能な他の位置に変更してもよいことは言うまでもない。
なお、図面符号のうちの説明していない１７ａは、回転ノブの結合孔である。
【００１５】
上記のように構成された本発明に係るフラッシュ機能付きリモコンによれば、ケース体１１の外部に取り付けてある回転ノブ１９を回転させて手動発電機１７を発電させれば、この発電される電気が蓄電池１８に送られて蓄電され、この蓄電池１８の電源が回路基板１４の各部品及び照明ランプ１５に供給され、リモコン１０の赤外線信号の送出機能及びフラッシュ機能を使用する過程で、蓄電池１８に蓄電されていた電気がすべて消耗されれば、回転ノブ１９を介して手動発電機１７を作動させて蓄電池１８に再び電気を送り蓄電すれば済むため、従来のフラッシュ機能付きリモコンのようにバッテリを随時に取り替える必要がなく、半永久的に使用することができるようになる。
【図面の簡単な説明】
【００１６】
【図１】本発明に係るフラッシュ機能付きリモコンの一実施の形態を示した斜視図である。
【図２】図１に示した実施の形態の背面斜視図である。
【図３】図１に示した実施の形態のケース体の内部を示す背面図である。
【符号の説明】
【００１７】
１０  フラッシュ機能付きリモコン
１１  ケース体
１２  赤外線信号送出部
１３  作動ボタン
１４  回路基板
１５  照明ランプ
１６  作動スイッチボタン
１７  手動発電機
１８  蓄電池
１９  回転ノブ
【図１】
2006164933.tif 000003
【図２】
2006164933.tif 000004
【図３】
2006164933.tif 000005